(57)【要約】【課題】取り替えた後のがいしと電線のクランプとの連結作業を容易かつ安全に行うことを可能にした、がいし取替補助器具を提供すること。【解決手段】がいし連５０における所定のがいし５０ａに固定される固定金具１０と、固定金具１０における所定部位に一端部が取り付けられ、固定金具１０におけるがいし５０ａの中心軸に対して所定部位の反対部位に他端部が取り付けられるチェーン２２と、チェーン２２に取り付けられ、チェーン２２の長さを調節するシメラー２０と、電線に固定されるカムアロング６０に取り付けられ、チェーン２２が掛けられる小型金車３０と、を有し、作業員がシメラー２０を操作して、チェーン２２を短くすることにより、がいし連５０の端部と電線とを近づけることができる。【選択図】図１
2016146687.tif 000002
【特許請求の範囲】
【請求項１】
がいし連における所定のがいしに固定される固定金具と、
前記固定金具における所定部位に一端部が連結され、前記固定金具における前記がいしの中心軸に対して前記所定部位の反対部位に他端部が連結される線状部材と、
当該線状部材に取り付けられ、前記線状部材の長さを調節するシメラーと、
電線に固定される連結部材に取り付けられ、前記線状部材が掛けられる金車と、を有することを特徴とするがいし取替補助器具。
【請求項２】
前記固定金具は、前記がいしを挟むように固定される一対の固定部材を有し、
当該固定部材は、前記がいしに当接する半円筒部と、当該半円筒部の外面の中央部から前記半円筒部の外側に径方向に延在する延在部とを有し、
前記一対の固定部材は、前記半円筒部を互いに対向させ、当該半円筒部の内側に前記がいしを配置し、前記半円筒部の両端部同士を連結することによって前記がいしに固定され、
前記線状部材の両端部は、前記一対の固定部材の前記延在部の先端部にそれぞれ連結されることを特徴とする請求項１記載のがいし取替補助器具。
【請求項３】
前記固定金具は、前記がいし連における、前記電線に固定されたクランプに連結されるがいしの一つ前段のがいしに固定されることを特徴とする請求項１又は２記載のがいし取替補助器具。
【発明の詳細な説明】
【技術分野】
【０００１】
本発明は、がいし取替作業において、取替後のがいしと、電線に固定されたクランプとを連結する際に用いるがいし取替補助器具に関する。
【背景技術】
【０００２】
従来、鉄塔のアームは、複数のがいしを連ねて構成されるがいし連を介して電線を支持している。具体的には、電線にクランプを取り付け、がいし連の一端側を鉄塔のアームに連結し、他端側をクランプに連結することによって、電線が鉄塔のアームに支持される。
【０００３】
ところで、がいし連を構成する所定のがいしにひびが入ったりが欠損したりした場合には、がいしを取り替える必要がある。しかし、がいし連に張力がかかっている状態では、がいしを取り替える作業を行うことはできない。
【０００４】
そこで、従来、がいしを取り替える際に、図５に示すように、電線１００におけるクランプ１０２の近傍にカムアロング６０を取り付け、鉄塔のアーム２００とカムアロング６０とをヒッパラーチェーン７０で連結し、作業員がヒッパラーチェーン７０を操作してアーム２００とカムアロング６０との間に張力をかける。これにより、がいし連５０とクランプ１０２との間にたるみが生じ、がいし連５０からクランプ１０２を外すことが可能になる。そして、がいし連５０を取り替えた後、再度がいし連５０とクランプ１０２とを連結し、カムアロング６０、ヒッパラーチェーン７０等を取り外すことにより、がいし連５０の取り替え作業が完了する。
【０００５】
しかしながら、古いがいし連５０をアーム２００及びクランプ１０２から外し、新たながいし連５０を交換する際、まず、作業員は、がいし連５０の一端側をアーム２００に連結するが、この時、がいし連５０は自重によって垂下した状態となる。このため、がいし連５０とクランプ１０２とを連結する際には、がいし連５０の他端側を引き上げ、クランプ１０２に近づける作業を行う必要がある。
【０００６】
従来におけるこの作業は、図６（ａ）に示すように、まず、作業員が、小ロープ８０の一端部をヒッパラーチェーン７０に固定し、小ロープ８０をヒッパラーチェーン７０とがいし連５０とに交互に螺旋状に巻き付ける。そして、作業員が小ロープ８０の他端部側を引っ張り上げることにより、がいし連５０がヒッパラーチェーン７０側に引き上げられて、図６（ｂ）に示すように、がいし連５０がヒッパラーチェーン７０に沿った状態になる。そして、作業員が、がいし連５０の他端部をクランプ１０２側に引き寄せることによって、がいし連５０の他端部をクランプ１０２に近づけ、がいし連５０とクランプ１０２とを連結する。
【０００７】
ここで、小ロープ８０を引っ張り上げても、がいし連５０の他端部がクランプ１０２に到達しない場合には、ヒッパラーチェーン７０を操作して、カムアロング６０をアーム２００側に移動させる。これにより、がいし連５０の他端部がクランプ１０２に近づき、がいし連５０とクランプ１０２との連結作業が行いやすくなる。
【０００８】
また、従来におけるこの種の技術として、特許文献１に記載された技術がある。特許文献１によれば、張線器が２本のワイヤロープでがいし連側に接続され、２本のワイヤロープ間が、がいしの幅より大きな間隔とされることにより、がいし連とクランプを覆うスペースが十分広く開かれ、がいしの増結やクランプの把持位置変えの作業性が大幅に改善される効果が得られる技術が提案されている。
【先行技術文献】
【特許文献】
【０００９】
【特許文献１】特開平１１−２８９６２１号公報
【発明の概要】
【発明が解決しようとする課題】
【００１０】
前述した従来の取り替え方法によれば、作業員は、高所で足場の悪い環境の下で、人力でがいし連のような重量物を引き上げたり、がいし連を電線側へ水平に引寄せたりする作業を行う。更に加えて、作業員は、がいしとクランプを連結させるため、クランプ凹部にがいし凸部を挿入してボルト締めをする、といった作業を行う。
【００１１】
これら一連の作業は、がいし及びクランプというともに重量のある部材を操作するため、作業員にとって力を要するものとなり、しかも、バランスを取りながら重量物を操作するため、作業員にとって困難性が高い作業となる。
【００１２】
また、がいしとクランプとの連結部位が合致しない場合は、上述したように、ヒッパラーチェーンを操作する等によって電線の余長を取り込み、両者を連結する方法が採られる。しかし、この方法では、必要以上の張力を鉄塔アームに与えることになり、アームの所要強度を一時的に超えるおそれがある。特に鉄塔の径間が短い場合には、電線の余長が極端に少なく、余長の取り込み自体が難しいほか、僅かな余長の取り込みでも過大な張力が鉄塔アームにかかり、アームの強度不足を発生させる原因となる。
【００１３】
本発明は、このような問題点を解決し、取り替えた後のがいしと電線のクランプとの連結作業を容易かつ安全に行うことを可能にしたがいし取替補助器具を提供することを目的とする。
【課題を解決するための手段】
【００１４】
前記目的を達成するため、本発明は、次に記載する構成を備える。
【００１５】
（１）  がいし連における所定のがいしに固定される固定金具と、前記固定金具における所定部位に一端部が連結され、前記固定金具における前記がいしの中心軸に対して前記所定部位の反対部位に他端部が連結される線状部材と、当該線状部材に取り付けられ、前記線状部材の長さを調節するシメラーと、電線に固定される連結部材に取り付けられ、前記線状部材が掛けられる金車と、を有することを特徴とするがいし取替補助器具。
【００１６】
（１）によれば、鉄塔に取り付けられているがいし連を取り替えた後に、がいし連の所定のがいしに固定金具を取り付け、電線に固定されている連結部材（例えば、カムアロング）に金車を接続し、この金車にシメラー付きの線状部材を掛けるとともに、この線状部材の両端部を固定金具にそれぞれ取り付ける。そして、作業員が、シメラーを操作して線状部材を巻き上げることによって、がいし連の端部と電線のクランプとが近づくより、がいし連の端部と電線のクランプとを連結しやすい状態にすることが可能になる。これにより、シメラーを操作する程度の小さな人力で、がいし連のたるみを解消することができるため、作業員は、鉄塔上のような高所で足場の悪い作業環境において、がいしとクランプの取付作業中にバランスを崩すおそれが少なくなり、作業の安全性を向上させることができる。また、がいし連のたるみを確実に解消することが可能になることから、従来のように、電線の余長を取り込む必要がなくなり、過大な張力を鉄塔のアーム部材へ与えることがないため、アーム部材に強度不足が発生することが防止できる。
【００１７】
（２）  （１）において、前記固定金具は、前記がいしを挟むように固定される一対の固定部材を有し、当該固定部材は、前記がいしに当接する半円筒部と、当該半円筒部の外面の中央部から前記半円筒部の外側に径方向に延在する延在部とを有し、前記一対の固定部材は、前記半円筒部を互いに対向させ、当該半円筒部の内側に前記がいしを配置し、前記半円筒部の両端部同士を連結することによって前記がいしに固定され、前記線状部材の両端部は、前記一対の固定部材の前記延在部の先端部にそれぞれ連結されることを特徴とするがいし取替補助器具。
（２）によれば、線状部材をがいし連から離すことができるため、がいし連と電線のクランプとの連結作業において、線状部材とがいしとが干渉し合ってがいしを破損させるような事態の発生を防止することができる。
【００１８】
（３）  （１）、（２）において、前記固定金具は、前記がいし連における、前記電線に固定されたクランプに連結されるがいしの一つ前段のがいしに固定されることを特徴とするがいし取替補助器具。
【００１９】
（３）によれば、がいし連においてクランプに固定されるがいしに線状部材から張力が直接かからないため、クランプに固定されるがいしは揺動自在になり、クランプに連結しやすくなる。
【発明の効果】
【００２０】
本発明によれば、取り替えた後のがいしと電線のクランプとの連結作業を容易かつ安全に行うことを可能にした、がいし取替補助器具を提供することが可能になる。
【図面の簡単な説明】
【００２１】
【図１】本発明の一実施形態におけるがいし取替補助器具１の構成を示す説明図である。
【図２】本発明の一実施形態におけるがいし取替補助器具１に係る固定金具１０の構成を示す正面図である。
【図３】本発明の一実施形態におけるがいし取替補助器具１を、取り替えた後のがいし連に連結した状態、及び取り替えた後のがいし連からがいし取替補助器具１を外した状態を示す説明図である。
【図４】本発明の一実施形態におけるがいし取替補助器具１を、がいし連における所定のがいしに連結した状態を示す説明図である。
【図５】従来における取り替えた後のがいしと電線のクランプとの連結作業に用いる器具を示す説明図である。
【図６】従来における取り替えた後のがいしと電線のクランプとの連結作業の手順を示す説明図である。
【発明を実施するための形態】
【００２２】
以下、本発明の一実施形態について、図面を参照しながら詳細に説明する。
図１は、本発明の一実施形態におけるがいし取替補助器具１の構成を示す説明図である。がいし取替補助器具１は、固定金具１０と、シメラー２０と、線状部材に相当するチェーン２２と、小型金車３０と、ロープ台４０と、を備えている。
【００２３】
図２は固定金具１０の構成を示す正面図である。図２に示すように、固定金具１０は、がいし連５０を構成する所定のがいし５０ａ（図４参照）に固定される金具であり、一対の固定部材１２、１２と、ボルト１４、１４と、ナット１６、１６と、によって構成される。固定部材１２は、円筒体を軸方向に沿って２分割した形状の半円筒部１２ａと、半円筒部１２ａの両端から径方向に延出する矩形の平板部１２ｂと、半円筒部１２ａの外面の中央部から半円筒部１２ａの外側に径方向に延在する延在部１２ｃとによって構成されている。平板部１２ｂには孔部が形成されている。また、延在部１２ｃの先端部にも孔部１２ｄが形成されている。
【００２４】
そして、一対の固定部材１２、１２の半円筒部１２ａ、１２ａを対向させるように、平板部１２ｂ、１２ｂ同士を孔部が一致するように当接させて、平板部１２ｂ、１２ｂの孔部にボルト１４を通してナット１６で締め付けることにより、固定金具１０が構成される。この時、固定金具１０の中央部は半円筒部１２ａ、１２ａの組み合わせによって円筒状に形成される。また、２本の延在部１２ｃ、１２ｃは、半円筒部１２ａ、１２ａの組み合わせによって形成される円筒の中心軸を直角に交差する仮想直線上に位置している。
【００２５】
図１において、シメラー２０は、チェーン２２とともに用いられ、チェーン２２を巻き上げるレバーを備えている。作業員がこのレバーを手動で往復動させることによって、チェーン２２が巻き上げられる。
【００２６】
小型金車３０は、チェーン２２が掛けられ、チェーン２２の移動に従って回転するものである。ロープ台４０は、カムアロング６０に小型金車３０を接続する部材であり、カムアロング６０の孔部に連結される環状のロープ４２と、ロープ４２及び小型金車３０を連結するＳ字形のフック４４とによって構成されている。
【００２７】
次に、がいし取替補助器具１の取り付け作業について、図３を参照しながら説明する。がいし取替補助器具１の取り付け作業は、図５を用いて説明した従来技術において、がいし連５０を取り替えた後に行う作業である。
【００２８】
まず、がいし連５０の所定のがいし５０ａに固定金具１０を固定する。具体的には、一対の固定部材１２の半円筒部１２ａを互いに対向させ、図４に示すように、半円筒部１２ａの内側にがいし５０ａの所定部位を配置し、平板部１２ｂ、１２ｂをボルト１４及びナット１６によって固定することにより、がいし５０ａに固定金具１０が固定される。がいし５０ａに固定金具１０が固定された状態において、延在部１２ｃ、１２ｃ及び孔部１２ｄ、１２ｄは、がいし５０ａの中心軸に対して点対称の位置に配置されており、一方の延在部１２ｃの孔部１２ｄの反対部位に他方の延在部１２ｃの孔部１２ｄが配置される。なお、がいし連５０において固定金具１０を取り付けるがいし５０ａは適宜設定可能であるが、クランプ１０２に近いがいし５０ａに取り付けるのが望ましい。そして、作業員は、固定金具１０が固定された新たながいし連５０の一端部をアーム２００に取り付ける。
【００２９】
次に、カムアロング６０にロープ台４０を取り付け、更に、ロープ台４０に小型金車３０を取り付ける。次に、シメラー２０が装着されているチェーン２２を小型金車３０に巻掛け、チェーン２２の両端部を、固定金具１０の２本の延在部１２ｃ、１２ｃの端部に固定する。具体的には、２本の延在部１２ｃ、１２ｃの孔部１２ｄ、１２ｄにチェーン２２の端部を挿入して縛り付けたり、連結部材等を用いたりする等により連結する。これにより、２本の延在部１２ｃ、１２ｃと小型金車３０との間にチェーン２２が張設された状態となり、図３（ａ）に示すように、がいし取替補助器具１によってがいし連５０側と電線１００側とが連結される。
【００３０】
がいし取替補助器具１が取り付けられた状態においては、図３（ａ）に示すように、２本の延在部１２ｃ、１２ｃとチェーン２２とによって、２本の延在部１２ｃ、１２ｃの先端部及び小型金車３０を頂点とした三角形が形成される。
【００３１】
そして、がいし取替補助器具１を構成する各種の部材をがいし連５０側及び電線１００側に取り付けた後、作業員が、シメラー２０を操作することによって、チェーン２２が巻き上げられ、２本の延在部１２ｃ、１２ｃの先端部及び小型金車３０を頂点とした三角形におけるチェーン２２の部分が短くなっていく。これにより、がいし連５０及びカムアロング６０に張力が掛かり、がいし連５０の端部及びクランプ１０２が近づいていく。
【００３２】
そして、がいし連５０の他端部とクランプ１０２との連結が可能な状態になった場合に、作業員は、シメラー２０の操作を止め、がいし連５０の端部とクランプ１０２とをボルトを用いて連結する。
【００３３】
がいし連５０の端部とクランプ１０２とを連結した後、がいし取替補助器具１を取り外し、更にカムアロング６０を取り外すことにより、図３（ｂ）に示すように、がいしの取り替え作業が完了する。
【００３４】
なお、がいし連５０において固定金具１０を固定するがいし５０ａとしては、クランプ１０２に連結されるがいし５０ａではなく、このがいし５０ａの一つ前段のがいし５０ａであることが望ましい。この場合、クランプ１０２に連結されるがいし５０ａにチェーン２２からの張力が直接かからないため、クランプ１０２に連結されるがいし５０ａの可動範囲が大きくなる。これにより、クランプ１０２の孔部とがいし５０ａの孔部とを一致させ易くなり、がいし連５０の端部とクランプ１０２との連結作業を容易に行うことが可能になる。
【００３５】
以上、説明したように構成された本実施形態によれば、シメラー２０を操作する程度の小さな人力で、がいし連５０のたるみを解消することができるため、作業員は、鉄塔上のような高所で足場の悪い作業環境において、がいし連５０とクランプ１０２の取付け作業中にバランスを崩すおそれが少なくなり、作業の安全性を向上させることができる。また、がいしのたるみの解消が確実に行うことができることから、従来のように電線１００の余長を取り込む必要がなくなり、過大な張力を鉄塔のアーム２００へ与えることがないため強度不足の問題を低減することが可能になる。
【００３６】
また、本実施形態によれば、延在部１２ｃ、１２ｃの先端部にチェーン２２の両端部が取り付けられており、これにより、チェーン２２をがいし連５０から離すことができるため、がいし連５０と電線のクランプ１０２との連結作業において、チェーン２２とがいし５０ａとが強く衝突し合って、がいし５０ａを破損させるような事態の発生を防止することができる。
【符号の説明】
【００３７】
１  がいし取替補助器具
１０  固定金具
１２  固定部材
１２ａ  半円筒部
１２ｂ  平板部
１２ｃ  延在部
１２ｄ  孔部
１４  ボルト
１６  ナット
２０  シメラー
２２  チェーン
３０  小型金車
４０  ロープ台
４２  ロープ
４４  フック
５０  がいし連
５０ａ  がいし
６０  カムアロング
７０  ヒッパラーチェーン
８０  小ロープ
１００  電線
１０２  クランプ
２００  アーム
【図１】
2016146687.tif 000003
【図２】
2016146687.tif 000004
【図３】
2016146687.tif 000005
【図４】
2016146687.tif 000006
【図５】
2016146687.tif 000007
【図６】
2016146687.tif 000008